Podtech/llm-jp-corpus-v4-ja_patent huggingface dataset:
(57)【要約】【課題】物理蒸着法により硬質被膜を表面にコーティングする母材が円筒状の切削工具において、個々の工具の被膜と母材との密着強度を保証することを可能とする。【解決手段】切れ刃と切れ刃の間の部分に、ロックウェル硬さ計による打痕が可能な微小な平面を設けることにより、この面にロックウェル硬さ計による圧痕を打痕することにより、母材とコーティング被膜との密着強度を物理蒸着された個々の切削工具について確認可能とする。【選択図】  図１
2009136940.tif 000002
【特許請求の範囲】
【請求項１】
耐磨耗性や工具寿命の改善のため物理蒸着法により硬質被膜をコーティングする円筒形の母材を用いる切削工具において、切れ刃と切れ刃との間の表面にロックウェル硬度計による圧痕を打痕することができる平面の座を有することを特徴とし、物理蒸着された硬質被膜の母材との密着特性を個々の切削工具について品質保証することが容易に可能な金属切削用工具。
【請求項２】
請求項１の切削工具が、エンドミル、リーマあるいはドリルである、物理蒸着された被膜の密着強度を容易に品質保証可能な切削用工具。
【請求項３】
請求項１の物理蒸着法がアーク式イオンプレーティングによる物理蒸着法である、蒸着された被膜の密着強度を容易に品質保証可能な切削用工具。
【発明の詳細な説明】
【技術分野】
【０００１】
本発明は、物理蒸着法により表面に硬質被膜をコーティングすることにより耐磨耗性及び工具寿命に優れた特性を有する、エンドミル、リーマ、ドリル等の金属の切削用工具に関する。
【背景技術】
【０００２】
エンドミル、リーマ、ドリル等の金属の切削用工具には耐磨耗性を改善し、工具寿命を向上させる目的で、物理蒸着法により金属の窒化物や酸化物等の硬質被膜を工具表面に形成する方法が広く行われている。この場合に工具寿命の向上には母材と硬質被膜との密着力が高いことが不可欠であり、スクラッチ試験法やロックウェル硬さ試験機による押し込み法などにより母材と硬質被膜との密着力の評価が行われている。（例えば、文献１参照）
【０００３】
【非特許文献１】「塑性加工用金型を対象としたDLC膜の密着性評価法」：基昭夫，片岡征二，森河和雄；東京都産業技術研究所報告，第６号(2003)
【発明の開示】
【発明が解決しようとする課題】
【０００４】
例えばアーク式イオンプレーティング等の物理蒸着法においては、同一の処理機会に多数の切削工具を同時に処理し、硬質被膜を個々の切削工具表面に形成する方法が工業的には一般に行われている。エンドミル、リーマ、ドリル等の切削工具についてはその形状が円筒状であり（図１参照）、個々の切削工具についてスクラッチ試験やロックウェル硬さ計により押し込み試験を行うための測定平面が確保できず、測定平面を有する試験片を同一の処理機会に挿入し、その試験片の密着力を評価しその処理機会における密着力を代表させているのが一般であり、同時に処理される多数の切削工具すべてについて十分な密着強度が得られていることを確認することはできなかった。
【課題を解決するための手段】
【０００５】
本発明者らは上記の課題に鑑み、同一機会に処理される多数の切削工具について、個々に硬質被膜と母材との密着強度を保証する方法について鋭意研究を行った結果、本発明を完成するに至ったものである。
【０００６】
すなわち、本発明の骨子とするところは、図１及び図２に示すように切れ刃と切れ刃の間の部分にロックウェル硬さ試験機による圧痕を打ち込める平面を設け、該平面にロックウェル硬さ試験機により圧痕を打ち込み、圧痕周縁部における被膜の剥離の有無を確認することにより個々の切削工具について硬質被膜と母材との密着強度を確認できるようにしたものである。
【発明の効果】
【０００７】
本発明により、エンドミル、リーマ、ドリル等の切削用工具表面に物理蒸着法により硬質被膜を形成させ大幅な工具寿命の延長及び切削時間の短縮を行おうとする場合に、物理蒸着処理される個々の切削工具について確実に被膜と母材との密着強度の確認が行えるようになり、品質の安定、品質の保証が容易に可能となった。
【発明を実施するための最良の形態】
【０００８】
請求項に基づいて本発明の実施の形態について説明を行う。物理蒸着により形成された硬質被膜と母材との密着強度については、課題の項で述べたようにスクラッチ試験法やロックウェル硬さ計による打痕の周縁部における剥離の有無で評価を行っているが、円筒形の母材を用いたエンドミル、リーマ、ドリル等の切削工具においてはこの打痕を行うための平面が取れないため、測定平面を有する試験片を処理物と同時に物理蒸着し、試験片の密着強度をスクラッチ試験法やロックウェル硬さ計による打痕により測定する方法で評価しており、個々の切削工具の被膜の密着強度については評価されていない。
【０００９】
本発明においては、請求項１及び２に述べているように、切れ刃と切れ刃との間の部分にロックウェル硬さ計による打痕が可能な平面を設け、その打痕周縁部の剥離の有無を顕微鏡等により観察することにより、同時に大量に物理蒸着処理された個々のエンドミル、リーマ、ドリル等の切削工具のすべてについて、その硬質被膜と母材との密着強度の確認が可能となり、個々の切削工具についての品質保証が容易に可能となった。
【００１０】
この平面はロックウェル硬さ計による打痕が可能な大きさであれば十分である。
【００１１】
コーティング方法としては請求項３に示したように、アーク式イオンプレーティング法による物理蒸着法が被膜の密着性や作業性の面から好適である。
【実施例１】
【００１２】
図１は本発明の１実施例であり、ロックウェル硬さ計による打痕のための平面座を切れ刃と切れ刃との間に有するエンドミルの外観図である。
【実施例２】
【００１３】
図２は本発明の１実施例であり、ロックウェル硬さ計による打痕のための平面座を切れ刃と切れ刃との間に有するリーマの外観図である。
【産業上の利用可能性】
【００１４】
本発明により、同時に大量に物理蒸着される切削工具の個々について、硬質被膜と母材との密着強度を保証することが容易に可能となり、また切削工具を使用する側においても打痕を見ることにより、密着強度が保証された切削工具であることを容易に認識することが可能となった。
【図面の簡単な説明】
【００１５】
【図１】平面座を有するエンドミルの外観図である。（実施例１）
【図２】平面座を有するリーマの外観図である。（実施例２）
【符号の説明】
【００１６】
１  切れ刃
２  ロックウェル硬さ計による打痕のための平面座
【図１】
2009136940.tif 000003
【図２】
2009136940.tif 000004
(57)【要約】【課題】製作が容易で安価であり、コンパクトな構成とする。【解決手段】両端部が閉じる方向に付勢された弾性材からなる円形の本体１を有し、この本体１の両端部に、本体１の放射方向に伸びる接着部２を折曲形成し、この接着肌部分２の内面に接着剤４が付着され、使用時には、本体１を広げて接着部２が首筋の両端に付着されると、本体１が縮もうとして首の正面側の皺、たるみが目立たなくなる。【選択図】図１
2009136378.tif 000002
【特許請求の範囲】
【請求項１】
両端部が閉じる方向に付勢された弾性材本体と、この弾性材本体の両端部に形成され首筋の両側に接着して接着肌部分を互いに内側に引寄せる接着部とからなり、弾性材本体と接着部はバンド状の弾性部材を一体的に折曲げ成形してなる首の皺、たるみを除去するための皺除去クリップ。
【請求項２】
前記クリップは弾性プラスチックからなり、前記弾性材本体は両端部が開口したほぼ円形をなし、この両端部から一体的に前記接着部が前記弾性材本体の放射方向外方に伸びている請求項１記載の皺除去クリップ。
【請求項３】
前記接着部にはそれを肌に接着するための接着剤が付着されている請求項１又は２記載の皺除去クリップ。
【発明の詳細な説明】
【技術分野】
【０００１】
本発明は、首の皺、たるみを目立たなくするための皺除去クリップに関する。  
【背景技術】
【０００２】
通常の化粧や美容アクセサリーで隠すことのできない加齢による首の皺、たるみを外出時に簡単に消す手段としては、登録実用新案公報第３０５５１２２号に開示された首の皺の皺伸ばし器がある。かかる皺伸ばし器は、弾力性の強い金属や形状記憶合金製の湾曲した弧状の弾性体とこの両端に別体に取付けられた挟み具とからなり、全体としてイヤーホーンのような形状をなしている。
【特許文献１】実用新案登録第３０５５１２２号
【発明の開示】
【発明が解決しようとする課題】
【０００３】
しかしながら、かかる首の皺伸ばし器は、針金状の弾性体又は形状記憶合金からなる弾性材本体と、この両端部に別体に取付けられた挟み具２とからなっており、嵩張っており、製作に費用がかかるという問題がある。
【課題を解決するための手段】
【０００４】
そこで、本発明の皺除去クリップは、両端部が閉じる方向に付勢された弾性材本体とこの弾性材本体の両端部に形成され首筋の両側に接着して接着肌部分を互いに内側に引寄せる接着部とからなり、弾性材本体と接着部はバンド状の弾性部材を一体的に折り曲げ成形してなる。
【０００５】
また、前記クリップは弾性プラスチックからなり、前記弾性材本体は両端部が開口したほぼ円形をなし、この両端部から一体的に前記接着部が前記弾性材本体の放射方向外方に伸びている。
【０００６】
更に、また、前記接着部にはそれを肌に接着するための接着剤が付着されている。
【発明の効果】
【０００７】
本発明の皺除去クリップは、帯状の弾性材を一体成形してなり、接着部を弾性材本体の両端部に折曲形成してなるのでコンパクトで製作が容易で、かつ安価にできるという効果を奏する。
【発明を実施するための最良の形態】
【０００８】
以下、図面を参照して本発明を実施するための最良の形態について説明する。
【０００９】
図１において、本発明の首の皺除去クリップＣは、一枚の弾性帯状部材からなり、ほぼ円形に湾曲した弾性材からなる本体１を有し、この両端部は開口しており、その開口部分に本体１の両端部を一体的に折曲形成して放射方向に所定長伸ばされ、首の後ろの首筋に肌接触する接着部２、２を備えている。前記皺除去クリップＣには、長手方向に外方に突出したリブ３、３が形成され、このリブ３は帯状部材の強度アップに寄与している。このリブ３は、本体１と同一材料でもよいし、他の補強材（バネ材）でもよい。前記皺除去クリップＣはシリコン材又は弾性プラスチック樹脂（例えば変性ポリエチレンテレフタレート）からなっており、この代わりに公知の形状記憶合金で一体的に成形してもよい。
【００１０】
前記接着部２の内面には、図２に示すように、粘着材４が付着され、この粘着材４は剥離紙５に被服され、この剥離紙５が使用時に剥がされて背面首筋の両側に接着部２が付着される。又、シリコン素材を接着部に用いても良い。
【００１１】
使用時には図３に示すように、本体１を両側に開いて首筋左右に接着部２を貼付すると、本体１の弾性により左右の接着部２は互いに近接する方向に付勢されているので、首正面の皺あるいはたるみが引き寄せられてそれらが除去される。この際、皺除去クリップＣの使用を隠蔽するために擬似髪からなる被い６を真の髪７の下端部に取付けてもよい。
【００１２】
なお、接着部２を首筋に付着させる時に、肌の保護として先ず接着部２に対応する皮膚面に保護布を付着せしめ、この保護布の上に接着部２を接着させてもよい。また、肌に保護液を塗布してもよく、専用液を塗布してから接着部２を取り外すこともできる。
【００１３】
なお、クリップCは、コンパクトに形成するために、例えば２センチメートル以上の幅Wの帯状弾性部材で形成し、本体直径Dを３センチメートルから４センチメートルに形成するのがよい。この大きさが通常人の体型に適合している。また、接着部の長さｌは１．５センチメートルから２．５センチメートルで十分に首肌に接着できる。
【図面の簡単な説明】
【００１４】
【図１】本発明の皺除去クリップの斜視図である。
【図２】図１における皺除去クリップの接着部の拡大図である。
【図３】本発明の皺除去クリップを首筋に接着せしめた状態図である。
【符号の説明】
【００１５】
１…本体
２…接着部
３…リブ
４…粘着材
５…剥離紙
６…被い
【図１】
2009136378.tif 000003
【図２】
2009136378.tif 000004
【図３】
2009136378.tif 000005
(57)【要約】【課題】豆腐を調理するとき、切断時に手を傷つけず、容易に運べて、火傷の危険なく、崩さずに静かに鍋に沈めることの出来る豆腐調理補助プレートを提供する。【解決手段】沸騰した湯の中につけても変形・溶解・変質しない、弾性と復元性の高い素材の一体成型による、豆腐を乗せる本体〔１〕の各辺に脱落止め〔２〕と取っ手〔３〕、豆腐挿入口〔４〕を設けた、安全に豆腐が切断でき、型崩れなく持ち運べ、鍋に沈めることが出来る豆腐調理補助プレートを特徴とする。【選択図】  図１
2009136357.tif 000002
【特許請求の範囲】
【請求項１】
沸騰した湯の中につけても変形・溶解・変質しない、弾性と復元性の高い素材をもって、豆腐一丁の容器より少し辺の長い正方形の板を成型し本体〔１〕とし、その一辺の端を盛り上げ脱落止め〔２〕とする。脱落止め〔２〕に接する本体〔１〕の２辺に同一素材からなるリングを成型し取っ手〔３〕とし、残り一辺を豆腐挿入口とする。
以上の構成よりなる豆腐調理補助プレート
【発明の詳細な説明】
【技術分野】
【０００１】
本発明は、豆腐を調理する際、手の上でも手を傷つけることなく豆腐が切れ、又、まな板の上でも切り残しなく綺麗に豆腐が切れ、型崩れさせることなく静かに豆腐を熱湯の中に沈めることの出来る豆腐調理補助プレートである。
【背景技術】
【０００２】
これまで、豆腐は専用容器から手に受け手の上で切り、鍋に投入するというものであった。
【０００３】
この改善策として金属製の枠に豆腐を投入し、枠に接続されたステンレス線等により豆腐を切断し、鍋に投入するか金属枠ごと鍋に沈め豆腐を湯に放すといったものが考案された。
【特許文献１】特開平１０−２６２８３９号公報
【特許文献２】特開平９−１３１６９６号公報
【発明の開示】
【発明が解決しようとする課題】
【０００４】
（０００２）においては手の上でじかに豆腐を切ることにより、手を傷つける危険があり、又、熱湯に豆腐を投入する際、火傷の危険と、あまり湯から手を離しすぎるための豆腐の崩れが問題であった。
（０００３）においては枠に豆腐を受ける際、湯につけないタイプでは湯に投入する際にも豆腐が崩れやすく、又、構造が複雑な物は接続箇所の洗浄が難しく、鍋に入れるには衛生面の問題を持ち、しかも、片付ける時場所をとるものであった。
【課題を解決するための手段】
【０００５】
沸騰した湯の中につけても変形・溶解・変質しない、弾性と復元性の高い素材で豆腐容器から豆腐を受ける、厚みをもった板状の豆腐容器より少し広い四角形の本体〔１〕の一辺を盛り上げ脱落止め〔２〕とし、その両サイドの辺にリングを成型し取っ手〔３〕とし、残り一辺を豆腐挿入口とする。これら総てを同一素材による一体成型とする。
本発明は以上の構成よりなる豆腐調理補助プレートである。
【発明の効果】
【０００６】
（０００２）については本発明を手の上に敷き豆腐を切ることにより包丁の刃がじかに手に触れることは無く、手を傷つけることは無い。又弾力のある素材のため豆腐の切り残しも無い。又、豆腐を本発明の上に乗せ、そのまままな板に置き、切った場合も、取っ手〔３〕を持ち持ち上げることで、豆腐を崩すことなく移動できる。鍋に豆腐を入れる場合も本体〔１〕を湯に浸け、湯の中で泳がすことにより豆腐を崩すことは無く、火傷の心配も無い。一体成型による単純構造のため、使用後きれいに洗浄でき湯に浸けても衛生的である。（０００３）については、容器から豆腐を取り出すとき、形を崩さず取り出せ、上記湯に漬けても衛生面の問題が無い上、使用洗浄後取っ手をフック等に掛け吊るしておけるなど場所をとらない。
【発明を実施するための最良の形態】
【０００７】
以下本発明を実施するための最良の形態について説明する。
本発明は一体成型であり、素材はシリコン樹脂等、沸点に達した湯に浸けても、変形・変質・有害物質を出さない弾性と復元性に富んだ素材を用いる。
【０００８】
本体〔１〕は豆腐を乗せたとき、少し余裕のある大きさの板である。取っ手〔３〕で持ち上げたとき、豆腐の重みで中央部が若干下がる程度の厚さを有する。又、本体〔１〕の弾性は豆腐に包丁を入れたとき、包丁に力を少し加えれば、若干へこむ程度とする。
【０００９】
本体〔１〕一辺は端が包丁で抑えれば本体〔１〕の上面の位置まで押さえ込める、端が薄いへら様になっている幅１ｃｍ程度の板状の隆起となっており、脱落止め〔２〕となっている。
【００１０】
脱落止め〔２〕の両サイドの辺外側には、豆腐を湯に沈めても鍋に手が触れない程度の円周を持つリングが外に開く形で成型され取っ手〔３〕となる。リングの厚みは本体〔１〕とほぼ同等である。本体〔１〕辺と取っ手〔３〕の間は下部が薄くなり繋がっている。取っ手〔３〕は豆腐を受けるとき、豆腐を切るときは、開いた状態にあり、豆腐を運ぶときは上記本体〔１〕との境で豆腐を左右から挟む形で上部へ曲げ手を差し込んで持ち上げる。
【００１１】
使用法としては、手の上に本発明を乗せ、その上にそっと容器から豆腐を移す。そのまま切ってもよいが、取っ手〔３〕を持ち一旦まな板の上に本発明ごと豆腐を置ききっても良い。豆腐を鍋に入れるとき、取っ手〔３〕を持ち、本体〔１〕を湯に浸け、湯で滑らすように、豆腐挿入口〔４〕をやや下方に傾け静かに豆腐を入れる。
【００１２】
スムーズに豆腐を入れるため、本体〔１〕脱落止め〔２〕側に数箇所の穴を開け、より豆腐のすべりをよくする方法もある。
【００１３】
使用後は両面をよく洗い、フック等に取っ手を引っ掛けよく干す。
本発明は以上のような構造と使い方をする。
【図面の簡単な説明】
【００１４】
【図１】本発明の平面図である。点線は脱落止め〔２〕の隆起の始まりを示す。
【図２】本発明の縦断面図である。
【図３】本発明の横断面図である。点線は前後の取っ手〔３〕部を表す。
【図４】本発明の上で豆腐を切ろうとしている図である。点線は脱落止め〔２〕の隆起の始まりを示す。
【図５】本発明の取っ手〔３〕を持ち豆腐を持ち上げた図である。点線は脱落止め〔２〕の隆起の始まりを示す。
【図６】本発明を取っ手〔３〕を持ち豆腐を湯に入れたところの図である。長点線は鍋の透視図を表し短点線は湯の水面を表し、点線は脱落止め〔２〕の隆起の始まりを示す。
【符号の説明】
【００１５】
１  本体
２  脱落止め
３  取っ手
４  豆腐挿入口
【図１】
2009136357.tif 000003
【図２】
2009136357.tif 000004
【図３】
2009136357.tif 000005
【図４】
2009136357.tif 000006
【図５】
2009136357.tif 000007
【図６】
2009136357.tif 000008
(57)【要約】【課題】本考案は数個の小型扁平円形磁石を中心軸で、ほぼ１列に連ねて、小型扁平円形磁石の外周面即ち頭髪頭皮に接触する全面に、円錐形に鈍角隆起又は鋭角隆起せる微小突起を設けて、本器で頭髪頭皮をマッサージして、磁気ネルギーで頭髪頭皮の細胞を活性化させる器具。【解決手段】本考案は、数個の小型円形磁石１を中心軸４で１列に連ね、中心軸４の両端に取手３をつけた形態で、各磁石は配列の際に、同極同士（例えばＳとＳ、又はＮとＮ）が隣接する如く配列し、各磁石間に非磁気板２を介在させる。小型円形磁石１の外周面即ち頭髪頭皮に接触する全面に、円錐形に鈍角隆起、又は鋭角隆起せる微小突起７を設けて、頭髪頭皮に適度のマッサージ効果を与え、磁気で頭髪頭皮の細胞を活性化させるマッサージ器具。【選択図】図１
2009136463.tif 000002
【特許請求の範囲】
【請求項１】
本発明は、数個の扁平円形磁石を、同極を隣接する如く１列に並べ、各磁石の間に、プラスチック等の磁気不感応の薄円板を介在させて、全ての磁石と磁気不感応薄円板の中心穴に磁気不感応の中心軸を挿入し、中心軸の両端に磁気不感応の把手を付した外形で構成する事とし、磁石の素材が金属材乃至は硬質素材であるならば、各磁石が頭髪頭皮に接触する外周面の全面に、円錐形に隆起せる鈍角の微小突起を設け、磁石の素材がゴム質乃至はプラスチック質の如く軟質素材であるならば、円錐形に隆起せる鋭角の微小突起を設けた、形態より成る事を特徴とする頭髪頭皮マッサージ器。
【発明の詳細な説明】
【技術分野】
【０００１】
本発明は扁平円形磁石を数個連続して棒状に連ねて、頭髪頭皮に磁気を放射し、マッサージする器具である。
【背景技術】
【０００２】
頭髪頭皮をマッサージするプラスチック製の手用ブラシ、又、磁気帯び長円筒形の顔面皮膚マッサージ器、又、帽子の内側の頭頂部に磁気帯びブラシを貼付した物等が従来からあった、然し数個の磁石を長円筒形にまとめて１個の器具とし頭髪頭皮をマッサージすると共に磁気で頭髪頭皮に直接作用を及ぼす物はなかった。
【０００３】
【特許文献１】特開２０００−２６２６２２、トルマリンを用いた頭部着用具。
【特許文献２】特開平１０−２４８９０４、トルマリンを利用した美容器具。
【特許文献３】特開平１０−２３６８９０、表面にトルマリンを有するセラミック成形体。
【非特許文献１】ネオジム磁石、青木金属工業（株）。
【非特許文献２】ＭＲＴ磁気共振測定機。
【非特許文献３】商品名、スマット、ハンディー磁気枕、（株）健康プラザコーワ。
【非特許文献４】磁石帽子、空想無印、エレファントデザイン（株）。
【非特許文献５】ゴム磁石の磁気板。
【発明の開示】
【発明が解決しようとする課題】
【０００４】
本発明は、数個の磁石を円柱円筒状に形成して、頭髪頭皮をマッサージする効果に加えて、磁気で頭髪頭皮を活性化させる効果を付加したものである。
【課題を解決するための手段】
【０００５】
本発明のマグネット式頭髪頭皮マッサージ器の各磁石間に非磁化板を介在させ、各磁石間の摩擦と磁場の乱れを減少した事と、磁石が頭髪頭皮に接触する面は鈍角円錐形又は鋭角円錐形の小突起を全面に付加した形態にした事である。
【発明の効果】
【０００６】
本発明の磁石マッサージ器の数個の磁石が発生する磁力は、頭髪頭皮に接触又は接近して細胞を活性化し、且つ頭髪頭皮の栄養剤が、頭髪頭皮に浸透する事を助長し、頭髪頭皮の生育を促す。
【発明を実施するための最良の形態】
【０００７】
図１は頭髪頭皮マッサージ器にして、数個の磁石は同極同士、即ち図２の９同士が隣接する様に配置し、全部の磁石の間にプラスチック円盤等の非磁化板２を介在した構造。
【０００８】
図２は磁石が頭髪頭皮に接触する面は鈍角円錐形又は鋭角円錐形の小突起７を全面に付加した形態。
【実施例】
【０００９】
以下、添付図面に従って説明する。１の磁石を数個、並列に並べ、各磁石の中心の円孔６に４の中心軸を通し、両端を３の取っ手で固定した形態。
【００１０】
中心軸４と磁石の中心円孔６はゆとりがあるから、数個の磁石は全て頭部の凹凸湾曲に合致して接触してマッサージする。
【００１１】
図２の説明、数個の磁石は、左磁石の９と右磁石の９の如く同極が隣接するように並べる。数個の各磁石の間に２の薄い非磁化板、例えば、プラスチック円形板２を介在す、これは同極同士の強烈な反発で磁気エネルギーの放射方向が乱れ、磁気が勝手気ままの方向に放射する事を忌避して、磁気エネルギーを穏和に緩和して、磁気エネルギーを整然と、頭髪頭皮につぎ込む為である。
【００１２】
各磁石の円形外周には全面に、円錐形に隆起せる、鈍角又は鋭角の微小突起７を設ける。
この理由は落雷でも物体の先鋭な箇所から放電現象が起こる事からもうなずける事である。又、この微小突起はマッサージ時に頭髪頭皮を傷つけたり、疼痛を与えたりする事を回避して、磁石の材質が金属の場合は微小突起は鈍角隆起とし、磁石の材質がゴム質、プラスチック材等軟質素材の場合は微小突起は鋭角隆起とする。
【図面の簡単な説明】
【００１３】
【図１】頭髪頭皮マッサージ器の斜視図
【図２】頭髪頭皮マッサージ器の部分の斜視図
【符号の説明】
【００１４】
１  磁石
２  非磁化板
３  取手
４  中心軸
５  頭髪頭皮
６  磁石の中心の大きい円孔
７  円錐形に鈍角隆起せる微小突起
８  Ｎ極
９  Ｓ極
【図１】
2009136463.tif 000003
【図２】
2009136463.tif 000004
(57)【要約】      （修正有）【課題】コーヒー粉末をもちいてコーヒーを成型する方法および成型されたコーヒーを提供する。【解決手段】コーヒーの粉末に水分を添加して練り状物にし、且つ前記飲料粉末を用いて表面に液状物が見られないようにしたのちに鋳型にいれて凍結乾燥する新規飲料成型方法とコーヒー粉末。任意の形状に成型し、さらに飲用時は数十秒以内に水やお湯で溶解して味も香りも通常のコーヒーと変わらない任意の形状の粉末飲料を得ることができる。【選択図】なし【特許請求の範囲】
【請求項１】
コーヒーの粉末に水分を添加して練り状物にし、且つ前記飲料粉末を用いて表面に液状物が見られないようにしたのちに鋳型にいれて凍結乾燥する新規飲料成型方法。
【請求項２】
コーヒーの粉末に水分を添加して練り状物にし、且つ前記飲料粉末を用いて表面に液状物が見られないようにしたのちに鋳型にいれて凍結乾燥する新規飲料成型方法により成型されたコーヒー粉末。
【請求項３】
コーヒー粉末がフリーズドライ又はスプレードライによって製造されたコーヒー粉末である請求項１の方法。
【請求項４】
コーヒー粉末がフリーズドライ又はスプレードライによって製造されたコーヒー粉末である請求項１の方法により成型されたコーヒー粉末。
【請求項５】
水分添加量が合計水分含量として１２％以上で２０％を超えない請求項１の方法。
【請求項６】
水分添加量が合計水分含量として１２％以上で２０％を超えない請求項１の方法により成型されたコーヒー粉末。
【発明の詳細な説明】
【技術分野】
【０００１】
本発明はコーヒー粉末をもちいてコーヒーを成型する方法および成型されたコーヒーに関するものである。
【背景技術】
【０００２】
飲料、特にコーヒーは、焙煎したコーヒー、あるいは焙煎したコーヒーを粉砕して一杯分を水透過性の袋状物に入れたドリップタイプのコーヒー、お湯で抽出したコーヒーをフリーズドライしたフリーズドライコーヒー等が知られている。
しかしながら一旦、フリーズドライしたコーヒー粉末を用いて再度各種の形態に成型したコーヒーは知られていない。わずかにフリーズドライしたコーヒー粉末に澱粉を添加して成型したものが市販されているが、この方法で成型すると、成型は容易であるがお湯での溶解に数分以上の長時間を要してしまう。つまり非実用的である。また一旦フリーズドライしたコーヒーに重量の5割以上の水分を添加するといくら冷却してもこのものは凍結しない、凍結しない状態で凍結乾燥を行うと、凍結乾燥中に突沸が起きて成型できない。このような理由によってこれまで任意の形状に成型したフリーズドライコーヒーは知られていなかった。
【発明の開示】
【発明が解決しようとする課題】
【０００３】
任意の形状に成型し、さらに飲用時は数十秒以内に水やお湯で溶解して味も香りも通常のコーヒーと変わらない任意の形状の成型コーヒーを提供することである。
【課題を解決するための手段】
【０００４】
課題を解決するためにさまざまな努力をした結果、以下のようにして解決をすることができた。
【０００５】
水分を４％前後含有するフリーズドライしたコーヒー粉末に２０％以下の濃度に水分を添加して、そばやうどんに見られる生地状の練りものにする。なお、水分含有量は１２％以下になると成型できないので１２％以上を必要とする。
【０００６】
この生地状練りものを任意の形状の鋳型にいれて成型する。成型の際に、成型物表面に液状部分があった場合には、水分含有量が４％前後の乾燥状態のフリーズドライコーヒーを用いて液状部分が見られないようにする。
【０００７】
その理由は、液状部分に突沸が生じて成型を妨げないようにするためである。こうして準備の出来たものについて凍結乾燥を行う。
【０００８】
このようにして得られた任意の形状に成型されたコーヒーは水やお湯に数十秒以内に溶解する。そして味も香りも通常のコーヒーと変わらなかった。
【０００９】
なお、本発明は水分を２０％以下に抑えることのみでなく、飲料粉末を凍結乾燥可能な、表面に液状物が見られない練り状物にしたのちに凍結乾燥を行うことで成型可能ともなっている。
【００１０】
したがって本発明はコーヒーのみでなくお茶、紅茶等の全ての飲料も、同様にして成型したものも含まれる。またコーヒー粉末はフリーズドライ粉末のみでなく、スプレードライ粉末でもよく、さらにこれらコーヒードライ粉末にはクリームや砂糖の粉末を添加して成型することもできる。
【発明の効果】
【００１１】
コーヒー粉末を星型やハート型等の任意の形状に成型したコーヒーであって且つ水や湯に容易に溶解し味も香りも通常のコーヒーと変わらないものを提供可能となった。
【発明を実施するための最良の形態】
【００１２】
コーヒーの粉末に水分を添加して練り状物にし、且つ前記飲料粉末を用いて表面に液状物が見られないようにしたのちに任意の鋳型にいれて凍結乾燥する新規飲料成型方法とコーヒー粉末。
【実施例１】
【００１３】
水分を約４％含むフリーズドライコーヒー粉末（カフェライフブラジル、ブルックス社製）の５ｇに、一回に約０．６ｇ容量を噴霧できる噴霧器で水を一回噴霧する。表面に液状物がないように良く練った後（重量５．７ｇ）、ポリスチレン製の鋳型に詰め込む。凍結乾燥機（ＥＹＬＡ凍結乾燥機品番ＦＤＵ−１２００型、東京理化機械株式会社）を用いて凍結乾燥を一晩行う。こうして得られた成型コーヒーは水分含有率２．４％で、沸騰した湯の１４０ｍｌで３０秒以内に完全溶解し、味も香りも元のカフェライフブラジルと全く変わらなかった。従って、本成型工程による、原料からの味の変化は見られなかった。
【産業上の利用可能性】
【００１４】
任意の形状に成型したコーヒーを市販可能となり、コーヒーの飲用時に新たな嗜好を提供できる。
(57)【要約】【課題】本処理具はシンプルで携帯用として排泄物が、地面に落下する前に速やかに差し伸べ収納可能になり地震災害、緊急、非常用に最適な処理具使用の提供が出来る。【解決の手段】収納袋を装着する環状輪に握手を設け前記環状輪が折りたたみ可能であることを特徴とする、人、動物の排泄物処理具。【選択図】図１
2009136271.tif 000002
【特許請求の範囲】
【請求項１】
収納袋を装着する環状輪に握手を設け、前記環状輪が折りたたみ可能であることを特徴とする、人、動物の排泄物処理具。
【請求項２】
収納袋を装着する環状輪に握手を設け、前記握手に収納袋を固定する輪ゴムを備えたことを特徴とする、人、動物の排泄物処理具。
【発明の詳細な説明】
【技術分野】
【０００１】本発明は人でも動物でも排泄物に関して排泄物を地面に落下しない前に受取り可能にした処理具に関するものである。
【背景の技術】
【０００２】動物では散歩時の糞の排泄物の処理には苦労の種になり紙やビニール、スコップ等を携帯して道路面とか草むら等に落下した後、すくい取る状態をよく見掛けます。特に柔らかい糞の草むら等では収納困難で衛生面も良好とはいえない回収困難がある。
【０００３】また糞を紙等で接手する感触の不浄の思い有り、道路等に放置するマナーの気力に欠ける面が見られる。
【０００４】従来の器具は人、動物に使用されてない面で、体裁もありコンパクトで携帯用の極めて容易な器具処理具の使用を求めているような背景が見られる。
【０００５】人については緊急、地震災害時に簡単で携帯用の処理具の使用が出来ていないような思いがある。
【特許文献１】特開平１０−０１７１０２  号公報
【特許文献２】特開２００６−２３８７２６  号公報
【特許文献３】実開平  ４−７１４５１  号公報
【特許文献４】実開平  ７−１３１３７  号公報
【発明の開示】
【発明が解決しようとする課題】
【０００６】本発明は動物に使用の場合は環状輪に握手を設けシンプルで携帯用に考え持ち歩くにも手軽で排泄物が地面に落下する前に手を汚すことなく手際よく衛生的に収納袋の装着も簡単で容易な使用が出来、人の場合も折りたたみ式可能にした構造にして成り、地震、災害、緊急用に最適な提供が出来る。
【課題を解決するための手段】
【０００７】本発明は上記課題を解決するための図１に示す環状輪１に握手２を設け前記環状輪１をシンプルで携帯用に折りたたみ可能にするために環状輪本体１Ａと環状輪折りたたみ部１Ｂの両端部を合わせて連結回動の軸をボルト４で係り止め折りたたみを可能にし図２のＬ字形金具３を環状輪本体１Ａ両端部に固定して金具３の出っ張り部面５の面が１Ｂの両端部にタッチ、ストッパーの役目となり使用状態可能にする折りたたみ式処理具である。【０００８】また、処理具に図５に示すよう収納袋１１を環状輪に沿って折り返し状態にして握手２も収納袋で覆い包みして脱落防止を輪ゴム１０で固定して使用可能になる排泄物処理具である。
【発明の効果】
【０００９】本発明の処理具は収納袋のすみやかな装着用意が容易に出来る。【００１０】処理具はシンプル性に折りたたみ可能に作り携帯用として、人、動物の処理具として持ち扱い容易で便利な使用が出来る。【００１１】従来のように糞の処理に手を汚さず不浄の思いも解消出来、極めて快適な使用が出来る。【００１２】社会的にも環境と衛生を完全に守るマナーの成長を促す目的の向上に役立つ。【００１３】地震、災害、緊急、非常時に水洗トイレ等の使用不能対策に最適な処理具の使用が出来る。【００１４】収納袋はスーパー・コンビニ等のレジ袋で十分代用出来、袋の装着と取り外しも簡単に操作出来る。
【発明を実施するための最良の形態】
【００１５】本発明の処理具を図１に示す。本処理具は環状輪１に握手２を設けたものである。大人が使用するのに環状輪１の大きさは横幅１００ミリメートルから１８０ミリメートル、縦５２０ミリメートルから３００ミリメートルが好ましい。環状輪１は環状輪本体１Ａと折りたたみ部１Ｂからなり環状輪本体１Ａは握手２と一体となっている。環状輪本体１Ａと折りたたみ部１Ｂは回動軸の係り止めボルト７で連絡している。環状輪１は回動軸の係り止めボルト７を回動軸として折り曲げることが出来る。環状輪本体１ＡにＬ字形金具３をボルト４で固定する。Ｌ字形金具３を固定する位置は折りたたみ時の動作にＬ字形金具の出っ張り部面が妨げにならない位置が好ましい。握手２には穴８が設けられている。環状輪１や握手２の材質については合成樹脂、木材、金属等を使う事が出来る。【００１６】処理具を動物に使用する場合は環状輪１の大きさ直径１００ミリメートルから１５０ミリメートルの環状輪１が好ましい。環状輪１に握手２を設けることで携帯用として容易な操作使用で出来る処理具を提供する事が出来る。【００１７】図２は環状輪１ＡにＬ字形金具３をボルト４で固定した部分５を拡大したものである。又環状輪本体１ＡにＬ字形金具の出張り部５を一体化した構造にしてもよい。【００１８】図３は折りたたみ連結を真上から見た拡大図である。環状輪本体１ＡにＬ字形金具３をボルト４で固定し、さらにボルト４の頭部が折りたたみ部１Ｂのくぼみ９にはまる構造となっている。前記構造により、使用時に環状輪１の形状を維持する事が出来る。さらに環状輪本体１Ａに固定のＬ字形金具３の出張り面５に環状輪１Ｂが当接することにより環状輪１の形状をより安定する。【００１９】図４は環状輪１を折りたたんだ形態を示す。Ｌ字形金具３の固定する位置は折りたたみ時の動作にＬ字形金具の出っ張り面が妨げにならない位置が好ましい。【００２０】図５は処理具の使用状態の１例を表す図である。収納袋１１を環状輪１に沿って折り返し状態にして握手２も覆い包みして脱落防止に輪ゴム１０で固定することが可能である。又握手２に穴８を設けることにより使用後に輪ゴム１０をつかみ取り易くする。
【図面の簡単な説明】
【００２１】
【図１】発明に係る排泄物処理具の斜面図
【図２】発明に係る排泄物処理具のＬ字形金具の拡大図
【図３】発明に係る排泄物処理具の折りたたみ連結を真上から見た拡大図
【図４】発明に係る排泄物処理具の折りたたみ状態を示した図
【図５】発明に係る排泄物処理具の実施参考図
【符号の説明】
【００２２】  １．環状輪
１Ａ．環状輪本体
１Ｂ．折りたたみ部
２．握手
３．Ｌ字形金具
４．１Ａに取り付け固定ボルト
５．Ｌ字形金具の出っ張り部面
６．回動軸の孔
７．回動軸の係り止めボルト
８．穴
９．くぼみ
１０．輪ゴム
１１．収納袋
【図１】
2009136271.tif 000003
【図２】
2009136271.tif 000004
【図３】
2009136271.tif 000005
【図４】
2009136271.tif 000006
【図５】
2009136271.tif 000007
(57)【要約】【課題】釣った魚の喉から釣針をはずした瞬間に露出した釣針の先端を保護するカバーが出現し、魚の喉空スムーズに釣針を引き出せる機能を備えた針はずしを提供する。【解決手段】針はずしの軸（１）の一部分に穴（２）を開け、その穴に可動式カバー（３）を設けた魚釣り用針先カバーつき針はずしでカバーが可動式であることを特徴とする。【選択図】図１
2009136268.tif 000002
【特許請求の範囲】
【請求項１】
針はずしの軸（１）の一部分に穴（２）を設け、その穴に可動式カバー（３）を設けた魚釣り用針先カバーつき針はずし。
【発明の詳細な説明】
【技術分野】
【０００１】この発明は、魚の喉に釣針が掛かって、はずれなくなった時にスムーズにはずせるように魚の喉からはずした釣針の先端をカバーしながら引き出す針はずしに関するものである。
【背景技術】
【０００２】従来、針はずしは釣糸からたどり釣針を針はずしの穴に固定した後、魚の喉の奥に押して釣針をはずしていたが、一旦、釣針がはずれても引き出す時に針先が露出しているため、再び喉に掛かることからはずれにくく、また針先をカバーするものがあっても最初からカバーが針はずしの軸に固定してある為、釣針と針先カバーの間に魚の肉がはさまり、はずす事が困難であった。
【発明の開示】
【発明が解決しようとする課題】
【０００３】魚の喉から釣針をはずす時は針先カバーは不要であるが、釣針がはずれて魚の喉から引き出す時は針先カバーがあれば、これらの問題点は解決されて完璧な針はずしとなる。
本発明は、従来の針はずしの欠点をなくすためになされたものである。
【課題を解決するための手段】
【０００４】以上の課題を解決するために、針はずしの軸（１）の一部分に穴（３）を開け、その穴に可動式カバー（２）を設ける。
本発明は、以上の構成よりなる魚釣り用針先カバーつき針はずしである。
【発明の効果】
【０００５】針はずしのカバーが可動式になっている為、魚の喉から釣針をはずす時は針先カバーが出て来ないが釣針がはずれた瞬間、可動式カバーが出て来て針先をカバーし、スムーズに釣針がはずれ、釣った魚を殺さずに捕獲できる。
【発明を実施するための最良の形態】
【０００６】以下、本発明を実施する為の最良の形態について説明する。
針はずしの軸（１）に可動式カバーを設ける為の穴（３）を開け、その穴に可動式のカバー（２）を設け、針はずしの軸（１）に固定する。
本発明は、以上のような構造である。
【図面の簡単な説明】
【０００７】
【図１】  本発明の斜視図である。
【図２】  本発明の平面図である。
【符号の説明】
【０００８】１  針はずしの軸
２  可動式のカバー
３  穴
【図１】
2009136268.tif 000003
【図２】
2009136268.tif 000004
(57)【要約】      （修正有）【課題】缶のまま炊飯できる無洗米を詰めた缶詰及び炊飯するための簡易専用コンロを提供する。【解決手段】無洗米を炊飯するために水１３を必要量缶に詰めた缶詰さらに、食べる時に缶を持てるように、取手をつけた無洗米缶詰および無洗米缶詰の中に野菜、肉等のレトルト食品を詰め混ぜご飯を作ることができる缶詰。水を無洗米缶詰側に入れた後、炊飯用の蓋として利用することができる缶詰無洗米と水を缶詰にして、セットで提供し、専用コンロを使用すれば、火をつけるだけで、どこでもご飯を炊くことができる。【選択図】図３
2009136267.tif 000002
【特許請求の範囲】
【請求項１】
缶のまま炊飯するために無洗米を詰めた缶詰。
【請求項２】
無洗米を炊飯するために水を必要量缶に詰めた缶詰。および水を無洗米缶詰側に入れた後、炊飯用の蓋として利用することができる缶詰。
【請求項３】
食べる時に缶を持てるように、取手をつけた無洗米缶詰。
【請求項４】
炊飯終了時に蓋として利用した水缶詰の缶を取れるように、取手をつけた水缶詰。
【請求項５】
無洗米缶詰の中に野菜、肉等のレトルト食品を詰め混ぜご飯を作ることができる缶詰。
【請求項４】
上述した缶詰を炊飯するために、無洗米缶詰を上に乗せることができ、固形アルコール燃料を使用した簡易専用コンロ。
【発明の詳細な説明】
【技術分野】
【０００１】  本発明は、災害時などの非常時やアウトドアなどで缶のまま炊飯が可能な無洗米が入った缶詰と、炊飯に必要量の水が入った缶詰をセットで提供するもの。および炊飯をするための簡易専用コンロに関する。
【背景技術】
【０００２】  従来の非常用ご飯は、お湯を沸かして温めるか、電子レンジを使用して温める物がある。また、冷たいまま食べる物がある。【０００３】  お湯を沸かす方法については、コンロ等の熱源、および、水の確保が必要である。また、電子レンジを使用する場合も電子レンジ本体および、電気の確保が必要である。【０００４】  これらは、災害時や外では確保することが困難な場合が多く、また、温めることができない場合は、冷たいまま食べることになる。
【発明の開示】
【発明が解決しようとする課題】
【０００５】  以上に述べた従来の非常用ご飯は、災害時や外の場合熱源や電気、水の確保ができない場合があり、温めることが難しくかった。
【課題を解決するための手段】
【０００６】  本発明は、このような従来困難であった、非常時の温かいご飯を、無洗米缶詰、水缶詰、専用コンロをセットで提供することで、いつでも炊飯し食べることができる。【０００７】  また、専用コンロの熱源は固形用アルコール燃料を使用し、火をつければどこでも缶詰での炊飯が可能である。
【発明の効果】
【０００８】上述したように本発明は、無洗米と水、専用コンロをセットで提供するものであり、火をつければどこでも炊飯ができる。【０００９】  また、専用コンロは固形アルコール燃料を使用するため、固形アルコール燃料を交換すれば、専用コンロは繰り返し使用が可能で、無洗米缶詰と水缶詰を購入するだけでよい。【００１０】  無洗米缶詰は、その缶をそのまま炊飯が可能で、また、水缶詰に関しては水を無洗米缶に入れた後蓋として使用する。【０００９】  そして、無洗米と、野菜、肉などのレトルト食品を同じ缶に詰め、炊飯時に合わせることで炊き込みご飯も可能である。【００１０】  缶詰として加工することで、保存食とて活用できる。
【発明の実施するための最良の形態】
【００１１】  以下、本発明の実施の形態を図１〜図３に基づいて説明する。
【００１２】  図１においては、１が炊飯用の水缶詰で、２が無洗米入りの缶詰、３が専用コンロで、６が固形アルコール燃料である。それぞれの素材は熱に対応するため、スチール缶を使用する。
【００１３】  無洗米４の量は、約成人男性の一食分０．５合を入れ、水はそれに対して必要量１５ｃｃをあらかじめ缶に詰めておく。
【００１４】  固形アルコール燃料６は、約二十分燃焼のものを使用し、燃焼終了時点で炊飯が完了する。
【００１５】  炊飯する量も、無洗米４と水５の量を変えることによって、増量も可能で、それに合わせた時間の固形アルコール燃料６を使用する。
【００１６】  図２のように、専用コンロ３には、固形アルコール燃料６をセットする受部７を、上げ底９をして、直接熱が下にあたらないようにする。また、専用コンロの側面２箇所に切り込み８を入れて空気の流れを確保するとともに、火をそこから点火することもできる。
【００１７】  図３のように、無洗米が入っている缶に、炊飯ができる量をあらかじめ入れた水缶詰から水１３を入れて、専用コンロの上に乗せる１５。専用コンロの固形アルコール燃料に火をつけて、水缶詰の缶を蓋１４にすれば、炊飯が可能である。また、無洗米缶詰、水缶詰には、それぞれに取手１０・１１を付け熱した後に直接缶を持たなくてすむ。
【００１８】  無洗米が入っている缶詰の中に、野菜、肉等の具材をレトルトパックした物１２を一緒に入れ、炊飯前の無洗米の上に開封し中身を入れれば炊き込みご飯ができる。
【図面の簡単な説明】
【００１９】
【図１】無洗米缶詰と水缶詰の断面図
【図２】専用コンロの側面図と断面図
【図３】炊飯時の形態図
【符号の説明】
【００２０】１  水缶詰
２  無洗米缶詰
３  専用コンロ
４  無洗米
５  炊飯用水
６  固形アルコール燃料
７  固形アルコール燃料受け部
８  空気取り入れよう切り込み
９  上げ底
１０  水缶詰の取手
１１  無洗米缶詰の取手
１２  レトルト具材
１３  無洗米缶詰に入れた水
１４  水の入っていた缶を蓋にする
１５  無洗米缶詰の缶と専用コンロの組み合わせ
【図１】
2009136267.tif 000003
【図２】
2009136267.tif 000004
【図３】
2009136267.tif 000005
(57)【要約】【課題】従来の錘つきプラスティックアミカゴでは、底面外側から着接している錘としての鉛が使用中に脱落することがあり、その度に新しい錘つきプラスティックアミカゴと取り替えなければならないという不便があった。またカゴから脱落したり、或いは糸切れによってカゴ本体と共に海底に残存したままの鉛からは有害物質が海水に溶出し続けることとなるが、アミカゴの錘を鉛以外のもの（鉄等）に代替した場合、釣行後の錆対策を講じなければならないという課題もあった。【解決手段】本発明は従来の問題点を考慮して、プラスティックアミカゴを沈潜させるために錘を底面外側に装着している構造を、予め成型した錘に溶融したプラスティックを密着させて包囲して錘と海水を遮断することで防食すると共に、錘部分のアミカゴ本体からの脱落をなくしたアミカゴである。【効果】アミカゴからの鉛の脱落がなくなった。また糸切れ等により本体が海底に残存した場合でも防食構造が保持され続け、仮にプラスティックの破損により錘としての金属の成分の溶出があった場合も、海中の生態系に無害である金属を使用することで環境破壊も激減することができるようになった。【特許請求の範囲】
【請求項１】
プラスティックアミカゴを沈潜させるための錘をカゴ本体底面外側に装着している構造を、予め成型した錘に溶融したプラスティックを密着させて包囲して錘と海水を遮断することで防食すると共に、錘部分のアミカゴ本体からの脱落をなくしたアミカゴである。
【発明の詳細な説明】
【発明の詳細な説明】
【技術分野】
【０００１】本発明は、プラスティックアミカゴを沈潜させるために錘を底面外側に装着している構造を、予め成型した錘に溶融したプラスティックを密着させて包囲して錘と海水を遮断することで防食すると共に、錘部分のアミカゴ本体からの脱落をなくしたアミカゴである。
【背景技術】
【０００２】従来の錘付きプラスティックアミカゴは、プラスティックカゴ本体の底面に数箇所の穴を有し、それぞれの穴に対し適合するように形成されたカゴ本体の厚みより突出する突起部を有する鉛を、底面外側から着接しカゴ本体の底面内側に突出した鉛を加熱溶解して固定するものであった。
【発明が解決しようとする課題】
【０００３】従来の錘つきプラスティックアミカゴでは、底面外側から着接している錘としての鉛が使用中に脱落することがあり、その度に新しい錘つきプラスティックアミカゴと取り替えなければならないという不便があった。
【０００４】またカゴから脱落したり、或いは糸切れによってカゴ本体と共に海底に残存する鉛からは有害物質が海水に溶出し続けることとなり、一部では海底に残存する鉛の影響で、その周りには海藻すら生えていないという証言もあり、海中に放置されたままの鉛は環境破壊の一因をなしているとも言われている。そこでアミカゴの錘を鉛以外のもの（鉄等）に代替した場合、釣行後の錆対策を講じなければならないという課題もあった。
【課題を解決するための手段】
【０００５】本発明は従来の問題点を考慮して、プラスティックアミカゴを沈潜させるために錘を底面外側に装着している構造を、予め成型した錘に溶融したプラスティックを密着させて包囲して錘と海水を遮断することで防食すると共に、錘部分のアミカゴ本体からの脱落をなくしたアミカゴである。
【０００６】アミカゴが糸切れ等により海底に残存した場合でも防食構造が保持され続け、仮にプラスティックの破損による錘としての金属の成分の溶出がある場合も、海中の生態系に無害である金属を使用することで環境破壊も阻止することができる。
【発明の効果】
【０００８】本発明は、プラスティックアミカゴを沈潜させるために、予め成型した錘に溶融したプラスティックを密着させて包囲して錘と海水を遮断することで防食すると共に、錘部分のアミカゴ本体からの脱落をなくした。また、アミカゴが糸切れ等により海底に残存した場合でも防食構造が保持され続け、仮にプラスティックの破損により錘としての金属の成分の溶出があった場合も、海中の生態系に無害である金属を使用することで環境破壊も阻止することができるようになった。
【図面の簡単な説明】
【図１】本発明の全体斜視図である。
【図２】従来品の全体斜視図である。
【図１】
2009136269.tif 000002
【図２】
2009136269.tif 000003
(57)【要約】      （修正有）【課題】釣行の度に変化する磯の形状に対応できるピトン棒用補助器具を提供する。【解決手段】ピトン棒受け用パイプ１に対し、脚棒受け用パイプ２、３を回動可能とし、脚棒４、５は脚棒受け用パイプ２、３に対しスライド自在となり、またピトン棒受け用パイプ１はピトン棒６に対しスライド自在となり、これらを組み合わせて取り付けるようにした。【効果】釣り場に於いてのあらゆる形状の磯であっても、岩の割れ目にハンマーで叩打しただけで留められたピトン棒６をより確実に固定することができるようになった。【選択図】図１
2009136270.tif 000002
【特許請求の範囲】
【請求項１】
ピトン棒受け用パイプ（１）に接合した脚棒受け用パイプ取付板（７）の両側に、脚棒受け用パイプ（２及び３）をネジ（８）とネジ（９）を用い回動可能に取り付け、ネジ（８）及びネジ（９）の緊緩により、ピトン棒受け用パイプ（１）に対して脚棒受け用パイプ（２及び３）をそれぞれ任意の角度に回動して固定することを可能としたピトン棒固定補助器具である。
【発明の詳細な説明】
【発明の詳細な説明】
【技術分野】
【０００１】本発明は磯の岩場等に於いて、竿受け、竿立、荷掛け等を取り付けるために、岩の割れ目にハンマーで叩打することだけで留められているピトン棒を、より確実に固定するためのピトン棒固定補助器具である。
【背景技術】
【０００２】従来のピトン棒の固定を補助する方法としては、磯の岩場等に打ち込んだピトン棒（６）に対して脚棒受け用パイプ（２及び３）の角度が固定された補助器具があるが、角度が固定されているために釣行の度に変化する磯の形状に対応できないことがあった。
【発明が解決しようとする課題】
【０００３】従来のピトン棒の固定を補助する器具では、釣行する度或いは釣り場を移動する度に変化する磯の岩場の形状に対し必ずしも対応できるとは限らず、脚棒受け用パイプ（２及び３）の角度がピトン棒受け用パイプ（１）に対して固定されているために、脚棒（４及び５）のどちらか片方しか接地できずに片方の脚棒は浮いたままの状態で使用せざるを得なかったり、また設置場所が狭いところでは取り付けそのものができない場合もあり、ピトン棒の支持安定性が場合によっては十分でないという問題点があった。
【０００４】また脚棒受け用パイプ（２及び３）がピトン棒受け用パイプに対し広がった角度がついたまま固定されているため、持ち運びの際収納するための余分なスペースが必要となる問題点もあった。
【課題を解決するための手段】
【０００５】本発明は従来の問題点を考慮して、ピトン棒受け用パイプ（１）に対して垂直に接合した脚棒受け用パイプ取付板（７）の両側に、脚棒受け用パイプ（２及び３）をネジ（８）とネジ（９）を用い回動可能に取り付け、ネジ（８）及びネジ（９）の緊緩により、ピトン棒受け用パイプ（１）に対して脚棒受け用パイプ（２及び３）をそれぞれ任意の角度に回動して固定することが可能となった。
【０００６】脚棒（４及び５）は脚棒受け用パイプ（２及び３）に設けられたネジ（１１）とネジ（１２）で固定されていて、このネジ（１１及び１２）の緊緩により、脚棒（４及び５）はそれぞれ脚棒受け用パイプ（２及び３）に対してスライド自在となり、任意の位置での固定が可能である。
【０００７】ピトン棒受け用パイプ（１）は、ピトン棒と固定するために設けられたネジ（１０）の緊緩によりピトン棒に対してスライド自在になり、任意の位置での固定が可能である。またピトン棒受け用パイプ（１）は、市販のピトン棒（６）との互換性を持たせてある。
【発明の効果】
【０００８】本発明は、ピトン棒受け用パイプ（１）に対し、脚棒受け用パイプ（２及び３）を回動可能とし、脚棒（４及び５）は脚棒受け用パイプ（２及び３）に対しスライド自在となり、またピトン棒受け用パイプ（１）はピトン棒（６）に対しスライド自在となり、これらを組み合わせて取り付けることにより、釣り場におけるあらゆる形状の磯であっても、岩の割れ目にハンマーで叩打したピトン棒（６）をより確実に固定することができるようになり、次のような効果があった。
▲１▼大型の魚を対象とした竿受けでも安心して取り付けて使用できるようになった。
▲２▼長めのピトン棒に対しても、荷掛け等を安心して取り付けられるようになった。
▲３▼収納の際の必要なスペースも、従来の物よりも小さくすることができるようになった。
【図面の簡単な説明】
【図１】本発明の全体斜視図である。
【符号の説明】
１、ピトン棒受け用パイプ    ２及び３、脚棒受け用パイプ    ４及び５、脚棒    ６、ピトン棒    ７、脚棒受け用パイプ取付板    ８及び９、脚棒受け用パイプ取付ネジ    １０、ピトン棒固定ネジ    １１及び１２、脚棒固定ネジ
【図１】
2009136270.tif 000003